(57)【要約】【課題】  コピー単体機及び複合機等の装置に応じた最適な省電力制御を行うことができるコントローラ、画像形成装置、及び電源制御方法を提供することを目的とする。【解決手段】  電源５０からの電源供給をＦＥＴスイッチＡ３６、ＦＥＴスイッチＢ３８を用いて３つの電源供給線に分け、コピー単体機にコントローラ１０を搭載したときの省電力モードでは、電源制御部３０によってＦＥＴスイッチＡ３６及びＦＥＴスイッチＢ３８をオフにして、主制御部２２及び印刷処理部２８への電源供給を停止し、複合機にコントローラ１０を搭載したときの省電力モードでは、電源制御部３０によってＦＥＴスイッチＢ３８をオフにして、印刷処理部２８への電源供給を停止する。【選択図】        図１
2006110823.tif 000002
【特許請求の範囲】
【請求項１】
消費電力を低減する省電力モードを備えた、コピー単体機及び複合機を含む画像形成装置に共通して搭載可能なコントローラであって、
電源供給を複数に分ける分割手段と、
前記省電力モード時に、搭載する前記画像形成装置に応じて前記分割手段によって分けられた電源供給を制御する制御手段と、
を備えることを特徴としたコントローラ。
【請求項２】
前記分離手段は、電源供給線を３つに分け、前記画像形成装置全体を制御する主制御部に第１の電源供給線を接続し、印刷を行うための処理を行う印刷処理部に第２の電源供給線を接続し、前記主制御部及び前記印刷処理部への電源供給を制御する電源制御回路に第３の電源供給線を接続し、制御手段は、当該コントローラがコピー単体機に搭載される場合の省電力モード時に、前記第１の電源供給線による電源供給及び前記第２の電源供給線による電源供給を停止し、当該コントローラが複合機に搭載される場合の省電力モード時に、前記第２の電源供給線による電源供給を停止することを特徴とする請求項１に記載のコントローラ。
【請求項３】
前記分離手段は、電源供給線を３つに分け、前記画像形成装置全体を制御する主制御部におけるプログラムを実行する際に使用する記憶手段を除く前記主制御部に第１の電源供給線を接続し、印刷を行うための処理を行う印刷処理部に第２の電源供給線を接続し、前記主制御部及び前記印刷処理部への電源供給を制御する電源制御回路、並びに前記記憶手段に第３の電源供給線を接続し、制御手段は、当該コントローラがコピー単体機に搭載される場合の省電力モード時に、前記第１の電源供給線及び前記第２の電源供給線による電源供給を停止し、当該コントローラが複合機に搭載される場合の省電力モード時に、前記第２の電源供給線による電源供給を停止することを特徴とする請求項１に記載のコントローラ。
【請求項４】
電源投入か前記省電力モードからの復帰かを判定する判定手段を更に備え、前記判定手段の判定結果が電源投入である場合に、前記記憶手段の初期化を行いプログラムを前記記憶手段に展開した後にプログラムを実行し、前記判定手段の判定結果が前記省電力モードからの復帰である場合に、電源投入時に前記記憶手段に展開されているプログラムを実行することを特徴とする請求項３に記載のコントローラ。
【請求項５】
請求項１乃至請求項４の何れか１項に記載のコントローラを備えた画像形成装置。
【請求項６】
消費電力を低減する省電力モードを備えた、コピー単体機及び複合機を含む装置に共通して搭載可能なコントローラによる電源制御方法であって、
電源供給を複数に分け、前記省電力モード時に、分けた電源供給を搭載する前記画像形成装置に応じて制御することを特徴とする電源制御方法。
【請求項７】
電源供給線を３つに分け、前記画像形成装置全体を制御する主制御部に第１の電源供給線を接続し、印刷を行うための処理を行う印刷処理部に第２の電源供給線を接続し、前記主制御部及び前記印刷処理部への電源供給を制御する電源制御回路に第３の電源供給線を接続し、コピー単体機の前記省電力モード時に、前記第１の電源供給線による電源供給及び前記第２の電源供給線による電源供給を停止し、複合機の前記省電力モード時に、前記第２の電源供給線による電源供給を停止することを特徴とする請求項６に記載の電源制御方法。
【請求項８】
電源供給線を３つに分け、前記画像形成装置全体を制御する主制御部におけるプログラムを実行する際に使用する記憶手段を除く前記主制御部に第１の電源供給線を接続し、印刷を行うための処理を行う印刷処理部に第２の電源供給線を接続し、前記主制御部及び前記印刷処理部への電源供給を制御する電源制御回路、並びに前記記憶手段に第３の電源供給線を接続し、コピー単体機の前記省電力モード時に、前記第１の電源供給線による電源供給及び前記第２の電源供給線による電源供給を停止し、複合機の前記省電力モード時に、前記第２の電源供給線による電源供給を停止することを特徴とする請求項６に記載の電源制御方法。
【請求項９】
電源投入か前記省電力モードからの復帰かを判定し、判定結果が電源投入である場合に、前記記憶手段の初期化を行いプログラムを前記記憶手段に展開した後にプログラムを実行し、判定結果が前記省電力モードからの復帰である場合に、電源投入時に前記記憶手段に展開されているプログラムを実行することを特徴とする請求項８に記載の電源制御方法。
【発明の詳細な説明】
【技術分野】
【０００１】
本発明は、コントローラ、画像形成装置、及び電源制御方法にかかり、特に、コピー単体機と、プリント、コピー、ファクシミリ等の機能を備えた複合機の双方に適用可能なコントローラ、該コントローラを備えた画像形成装置、及び電源制御方法に関する。
【背景技術】
【０００２】
最近の複合機等の画像形成装置では、省電力モードを備えていることが多い。省電力モードでは、消費電力を低減するために、印刷エンジン部やエンジン部を制御するエンジン制御基板の電源供給を停止したり、基板内の不要な電源供給を停止するなどされている。
【０００３】
例えば、特許文献１に記載の技術では、パソコン等の上位装置にデータ送信を待たせることができるインタフェースが印刷装置に接続されると、このインタフェース以外の印刷手段（印刷エンジン）と制御手段（コントローラ）とを共に電源停止状態にする。また、上位装置にデータ送信を待たせることができないネットワークなどのインタフェースが接続されると、印刷手段（印刷エンジン）の電源を停止し、制御手段（コントローラ）へのクロック供給を停止するようにしている。
【０００４】
また、特許文献２に記載の技術では、オプションボードが装着されている場合に、読取部及び記録部への電源供給のみを停止し、オプションボードが装着されていない場合に、読取部、記録部、及び画像処理部への電源供給を停止することが提案されている。
【０００５】
ところで、画像形成装置としては、コピー単体機や複合機（コピーやプリント機能をもつもの）がある。コピー単体機は、ユーザが読み取り装置に原稿をセットして原稿を複写できればよい。一方、複合機は、コピー以外に、ネットワーク経由の印刷機能等を提供しており、ホストとの通信手段が不可欠となる。
【０００６】
従来では、コピー単体機にはスキャナで読み取ったイメージを印刷制御するコピーコントローラが搭載され、複合機には該コピーコントローラとホストとの通信を行うための通信手段を備えてホストからの印刷データを画像処理するプリントコントローラが搭載され、コピー単体機と複合機とでそれぞれ異なるコントローラが搭載されていた。
【０００７】
最近では、イメージデータ処理及びデータパスの統一を主目的として、コピーとプリントの両機能を実現する共通のコントローラを搭載して制御するようになってきている。これによって、コピー用の蓄積媒体（例えば、ハードディスク等）とプリント用の蓄積媒体も一元化することができ、さらには、ソフトウエアの変更のみで、コピー単体機を後々複合機にアップグレードすることも可能となる。
【特許文献１】特開２００１−１８００８３号公報
【特許文献２】特開２００２−２８１１９０号公報
【発明の開示】
【発明が解決しようとする課題】
【０００８】
しかしながら、コピー単体機は複合機に比べて要求される消費電力目標が異なり、より低消費電力が求められる。特許文献１に記載の技術では、コピー単体機及び複合機で供給のコントローラを使用することを前提としていないので、特許文献１に記載のコントローラをコピー単体機に搭載した場合には、コピー単体機としては必要のない通信インタフェース回路に電源が供給されるので、消費電力の低減が十分であるとは言えない、という問題がある。
【０００９】
また、特許文献２に記載の技術においても、オプションボードが装着されていない場合には、制御手段（コントローラ）への電源が供給されるので、消費電力の低減が十分であるとは言えない。
【００１０】
本発明は、上記問題を解決すべく成されたもので、コピー単体機及び複合機等の装置に応じた最適な省電力制御を行うことができるコントローラ、画像形成装置、及び電源制御方法を提供することを目的とする。
【課題を解決するための手段】
【００１１】
上記目的を達成するために請求項１に記載のコントローラは、消費電力を低減する省電力モードを備えた、コピー単体機及び複合機を含む装置に共通して搭載可能なコントローラであって、電源供給を複数に分ける分割手段と、前記省電力モード時に、搭載する前記画像形成装置に応じて前記分割手段によって分けられた電源供給を制御する制御手段と、を備えることを特徴としている。
【００１２】
請求項１に記載の発明によれば、分割手段では、電源供給が複数に分割され、制御手段では、省電力モード時に、コントローラを搭載する装置に応じて分割手段によって分けられた電源供給が制御される。すなわち、コントローラを搭載する画像形成装置に応じて、省電力モード時の電源供給を制御するので、コピー単体機及び複合機等の画像形成装置に応じた最適な省電力制御を行うことができる。
【００１３】
分割手段は、例えば、請求項２に記載の発明のように、電源供給線を３つに分けて、画像形成装置全体を制御する主制御部に第１の電源供給線を接続し、印刷処理部に第２の電源供給線を接続し、電源制御回路に第３の電源供給線を接続して、制御手段が、当該コントローラがコピー単体機に搭載される場合の省電力モード時に、第１の電源供給線及び第２の電源供給線による電源供給を停止して、当該コントローラが複合機に搭載される場合の省電力モード時に、第２の電源供給線による電源供給を停止する。すなわち、コピー単体機の場合には、外部からの通信が不要であるので、主制御部への通電も不要となり、第１の電源供給線及び第２の電源供給線への電源供給を停止し、複合機の場合には、外部との通信があるので、第２の電源供給線への電源供給のみを停止する。このとき、主制御部及び印刷処理部への電源供給を制御する電源制御部には常に電源が供給されるので、省電力モードの復帰動作等を電源制御部で行うことが可能となる。従って、このようにすることで、コントローラを搭載する画像形成装置に応じて、最適な省電力制御を行うことが可能となる。
【００１４】
また、分割手段は、請求項３に記載の発明のように、電源供給線を３つに分けて、画像形成装置全体を制御する主制御部におけるプログラムを実行する際に使用する記憶手段（例えば、システムＲＡＭ等）を除く主制御部に第１の電源供給線を接続し、印刷処理部に第２の電源供給線を接続し、電源制御回路及び記憶手段に第３の電源供給線を接続して、制御手段が、当該コントローラがコピー単体機に搭載される場合の省電力モード時に、第１の電源供給線及び第２の電源供給線による電源供給を停止して、当該コントローラが複合機に搭載される場合の省電力モード時に、第２の電源供給線による電源供給を停止する。すなわち、コピー単体機の場合には、外部からの通信が不要であるので、主制御部への通電も不要となり、第１の電源供給線及び第２の電源供給線への電源供給を停止し、複合機の場合には、外部との通信があるので、第２の電源供給線への電源供給のみを停止する。また、主制御部及び印刷処理部への電源供給を制御する電源制御部には常に電源が供給されるので、省電力モードの復帰動作等を電源制御部で行うことが可能となる。従って、このようにすることで、コントローラを搭載する画像形成装置に応じて、最適な省電力制御を行うことが可能となる。
【００１５】
さらには、記憶手段についても常に電源供給されるので、電源投入時等に記憶手段に展開されたプログラム等を保持して、省電力モードからの復帰時に当該プログラムを直ぐに起動することが可能となる。例えば、請求項４に記載の発明のように、電源投入か省電力モードからの復帰かを判定する判定手段を更に備えて、判定手段の判定結果が電源投入である場合に、記憶手段の初期化を行いプログラムを記憶手段に展開した後にプログラムを実行し、判定手段の判定結果が省電力モードからの復帰である場合に、電源投入時に記憶手段に展開されているプログラムを実行するようにすることで、省電力モードからの復帰動作に必要な時間を短縮することができる。
【００１６】
請求項５に記載の画像形成装置は、請求項１乃至請求項４の何れか１項に記載のコントローラを備えることを特徴としている。
【００１７】
請求項５に記載の発明によれば、上述の請求項１乃至請求項４の何れか１項に記載のコントローラを備えているので、コピー単体機及び複合機等の装置に応じた最適な省電力制御を行うことができる。
【００１８】
請求項６に記載の電源制御方法は、消費電力を低減する省電力モードを備えた、コピー単体機及び複合機を含む画像形成装置に共通して搭載可能なコントローラによる電源制御方法であって、電源供給を複数に分け、前記省電力モード時に、分けた電源供給を前記画像形成装置に応じて制御することを特徴としている。
【００１９】
請求項６に記載の発明によれば、電源供給を複数に分割して、省電力モード時に、分けた電源供給を、コントローラを搭載する画像形成装置に応じて制御する。すなわち、コントローラを搭載する画像形成装置に応じて、省電力モード時の電源供給を制御するので、コピー単体機及び複合機等の画像形成装置に応じた最適な省電力制御を行うことができ、コピー単体機及び複合機に共通したコントローラを搭載することができる。
【００２０】
例えば、請求項７に記載の発明のように、電源供給線を３つに分けて、画像形成装置全体を制御する主制御部に第１の電源供給線を接続し、印刷処理部に第２の電源供給線を接続し、電源制御回路に第３の電源供給線を接続して、当該コントローラがコピー単体機に搭載される場合の省電力モード時に、第１の電源供給線及び第２の電源供給線による電源供給を停止して、当該コントローラが複合機に搭載される場合の省電力モード時に、第２の電源供給線による電源供給を停止する。すなわち、コピー単体機の場合には、外部からの通信が不要であるので、主制御部への通電も不要となり、第１の電源供給線及び第２の電源供給線への電源供給を停止し、複合機の場合には、外部との通信があるので、第２の電源供給線への電源供給のみを停止する。また、主制御部及び印刷処理部への電源供給を制御する電源制御部には常に電源が供給されるので、省電力モードの復帰動作等を電源制御部で行うことが可能となる。従って、このようにすることで、コントローラを搭載する画像形成装置に応じて、最適な省電力制御を行うことが可能となる。
【００２１】
また、請求項８に記載の発明のように、電源供給線を３つに分けて、画像形成装置全体を制御する主制御部におけるプログラムを実行する際に使用する記憶手段（例えば、システムＲＡＭ等）を除く主制御部に第１の電源供給線を接続し、印刷処理部に第２の電源供給線を接続し、電源制御回路及び記憶手段に第３の電源供給線を接続して、当該コントローラがコピー単体機に搭載される場合の省電力モード時に、第１の電源供給線及び第２の電源供給線による電源供給を停止して、当該コントローラが複合機に搭載される場合の省電力モード時に、第２の電源供給線による電源供給を停止する。すなわち、コピー単体機の場合には、外部からの通信が不要であるので、主制御部への通電も不要となり、第１の電源供給線及び第２の電源供給線への電源供給を停止し、複合機の場合には、外部との通信があるので、第２の電源供給線への電源供給のみを停止する。また、主制御部及び印刷処理部への電源供給を制御する電源制御部には常に電源が供給されるので、省電力モードの復帰動作等を電源制御部で行うことが可能となる。従って、このようにすることで、コントローラを搭載する画像形成装置に応じて、最適な省電力制御を行うことが可能となる。
【００２２】
さらには、記憶手段についても常に電源供給されるので、電源投入時等に記憶手段に展開されたプログラム等を保持して、省電力モードからの復帰時に当該プログラムを直ぐに起動することが可能となる。例えば、請求項９に記載の発明のように、電源投入か省電力モードからの復帰かを判定して、判定結果が電源投入である場合に、記憶手段の初期化を行いプログラムを記憶手段に展開した後にプログラムを実行し、判定結果が省電力モードからの復帰である場合に、電源投入時に記憶手段に展開されているプログラムを実行するようにすることで、省電力モードからの復帰動作に必要な時間を短縮することができる。
【発明の効果】
【００２３】
以上説明したように本発明によれば、電源供給を複数に分けて、省電力モード時に、分けた電源供給をコピー単体機や複合機等の装置に応じて制御するので、コピー単体機及び複合機等の装置に応じた最適な省電力制御を行うことができる、という効果がある。
【発明を実施するための最良の形態】
【００２４】
以下、図面を参照して本発明の実施の形態の一例を詳細に説明する。
【００２５】
図１は、コピー単体機や複合機等の画像処理装置に共通に搭載することができるコントローラの構成を示すブロック図である。
【００２６】
図１に示すように、本実施の形態に係わるコントローラ１０は、ＣＰＵ１２、システムＲＡＭ１４、プログラムＲＯＭ１６、バスブリッジ回路１８、ホストインタフェースコントローラ２０等を備えた主制御部２２と、ユーザインタフェースコントローラ（ＵＩコントローラとも表記する）２４、ビデオインタフェースコントローラ２６等を備えた印刷処理部２８と、電源制御部３０、節電キー押下検知回路３２、ＬＥＤ点灯回路３４を備えた復帰制御部５２と、ＦＥＴスイッチＡ３６、ＦＥＴスイッチＢ３８とを備えている。
【００２７】
メモリバス４０上には、システムＲＡＭ１４とプログラムＲＯＭ１６とが配置されている。制御プログラム（以下、プログラムという）を実行するＣＰＵ１２と、システムＲＡＭ１４、プログラムＲＯＭ１６とは、バスブリッジ回路１８によるメモリバス４０のコントロール機能により通信を行う。
【００２８】
バスブリッジ回路１８は、Ｉ／Ｏバス４２にも接続されている。Ｉ／Ｏバス４２には、外部の装置とのインタフェースとなるユーザインタフェースコントローラ２４と、印刷エンジン４４、スキャナ４６とのインタフェースとなるビデオインタフェースコントローラ２６と、ホストマシン４７とのインタフェースとなるホストインタフェースコントローラ２０とが接続されている。
【００２９】
ＣＰＵ１２は、プログラムＲＯＭ１６に格納されたプログラムをシステムＲＡＭ１４に展開し実行して、システムＲＡＭ１４を作業領域として処理を行う。システムＲＡＭ１４には処理中のデータやプログラムが書き込まれる。
【００３０】
バスブリッジ回路１８は、ＣＰＵ１２とＩ／Ｏバス４２との間のデータのやり取りの中継や、メモリバス４０のコントロール機能（システムＲＡＭ１４のコントロール機能やプログラムＲＯＭ１６のアクセス制御機能等）を持つ。
【００３１】
また、Ｉ／Ｏバス４２に接続されたユーザインタフェースコントローラ２４は、ＬＣＤ（Liquid Crystal Display）やテンキーを持つコントロールパネル４８とのインタフェースを制御する。
【００３２】
ビデオインタフェースコントローラ２６は、接続する印刷エンジン４４やスキャナ４６を制御する。ビデオインタフェースコントローラ２６は、印刷エンジン４４へ画像データを出力する機能、スキャナ４６で読取った画像データを入力する機能を有している。
【００３３】
ホストインタフェースコントローラ２０は、ＵＳＢやＩＥＥＥ．１２８４によって接続されたＰＣなどの外部ホストマシンとのインタフェースを制御する。
【００３４】
なお、上述したプログラムＲＯＭ１６とは、フラッシュメモリやワンタイムＰＲＯＭ（Programmable Read Only Memory）、マスクＲＯＭなどを指し、システムＲＡＭ１４とは、ＳＤＲＡＭ（Synchronous  Dynamic Random Access Memory）、ＤＤＲ  ＳＤＲＡＭ（Double Data Rate SDRAM）などの高速アクセス可能なＲＡＭを指すものとする。
【００３５】
ＦＥＴスイッチＡ３６は、電源５０から供給される電源の、主制御部２２への供給をオン／オフするスイッチであり、ＦＥＴスイッチＢ３８は、電源５０から供給される電源の、印刷処理部２８への供給をオン／オフするスイッチであり、それぞれのＦＥＴスイッチＡ３６、ＦＥＴスイッチＢ３８は電源制御部３０によって制御される。
【００３６】
また、図１に示すように、復帰制御部５２には、電源制御部３０と、節電キー押下検知回路３２と、ＬＥＤ点灯回路３４とが備えられている。
【００３７】
電源制御部３０は、コントロールパネル４８に設けられた節電キー５４の押下を検出する。節電キー５４が押下されると、電源制御部３０に検知信号を出力する。
【００３８】
ＬＥＤ点灯回路３４は、省電力モードに設定されると、ＣＰＵ１２の制御によってコントロールパネル４８に設けられた節電ＬＥＤ５６を点灯させる。節電ＬＥＤ５６を点灯させることでコントローラ１０を搭載した画像処理装置が省電力モードに設定されていることを表示する。
【００３９】
図１に示すように、ＦＥＴスイッチＡ３６、ＦＥＴスイッチＢ３８と、復帰制御部５２とは、第３の電源供給線Ｖｃｃ−０に接続されており、電源５０から常時電源供給を受けるようになっている。
【００４０】
また、主制御部２２は、第１の電源供給線Ｖｃｃ−１に接続されており、印刷処理部２８は、第２の電源供給線Ｖｃｃ−２に接続されている。
【００４１】
すなわち、本実施の形態に係わるコントローラ１０は、電源５０からの電源供給をＦＥＴスイッチＡ３６及びＦＥＴスイッチＢ３８を用いて、３つの電源供給線に分けて供給する。なお、電源供給線Ｖｃｃ−０は、電源５０から常時電源を供給し、電源供給線Ｖｃｃ−１、Ｖｃｃ−２は、ＦＥＴスイッチＡ３６及びＦＥＴスイッチＢ３８のオンオフで供給を制御するようになっている。
【００４２】
次に、節電キー押下検知回路３２、電源制御部３０、及びＦＥＴスイッチＡ３６の詳細な構成について説明する。図２は、節電キー押下検知回路３２、電源制御部３０、及びＦＥＴスイッチＡ３６の詳細な構成を示す図である。なお、図２では、ＦＥＴスイッチＡ３６に関係する部分のみを示す。
【００４３】
ＦＥＴスイッチＡ３６は、図２に示すようにＰチャンネル型ＭＯＳＦＥＴで構成し、ゲートに電源制御部３０の出力を入力している。また、ドレインを電源供給線Ｖｃｃ−０（第３の電源供給線）に、ソースを主制御部２２に電源を供給する電源供給線Ｖｃｃ−１（第１の電源供給線）に接続している。本実施の形態では、ＦＥＴスイッチＡ３６としてＰチャンネル型ＭＯＳＦＥＴを用いた例を説明するが、Ｎチャンネル型ＭＯＳＦＥＴを適用するようにしてもよい。当然のことながらゲート制御の論理変更は必要となる。
【００４４】
電源制御部３０は、図２に示すレジスタ回路３０Ａからなり、アドレス信号、チップセレクト信号、ライトイネーブル信号等の制御信号と書き込みデータをＣＰＵ１２から入力する。また、節電キー押下検知回路３２から後述するクリア信号（検知信号）を入力する。レジスタ回路３０Ａは、ＣＰＵ１２から出力された制御信号に従って書き込みデータを書き込む、より具体的には、ＣＰＵ１２からバスブリッジ回路１８を経由し、Ｉ／Ｏバス４２からレジスタ回路３０Ａに書き込む。書き込まれたデータはＦＥＴスイッチＡ３６のゲートに出力される。さらに、レジスタ回路３０Ａは、節電キー押下検知回路３２からのクリア信号（検知信号）を入力すると、書き込んだデータをクリアして初期化する。すなわち、レジスタ回路３０Ａに“１”のデータが書き込まれると、ＦＥＴスイッチＡ３６のゲートにハイレベルの電圧を印加して、ＦＥＴスイッチＡ３６を閉じる。また、クリア信号を入力すると、ＦＥＴスイッチＡ３６のゲートにローレベルの電圧を印加して、ＦＥＴスイッチＡ３６をオンさせる。
【００４５】
節電キー押下検知回路３２は、図２に示すようにコントロールパネル４８の節電キー５４とアンドゲート３２Ａとを配線で接続し、この配線に抵抗Ｒを介して電源電圧Ｖｃｃ−０を印加している。節電キー５４が押下されると、この配線はＧＮＤに接地され、アンドゲート３２Ａにはローレベルの信号が入力される。アンドゲート３２Ａからは、ローレベルのクリア信号がレジスタ回路３０Ａに出力される。クリア信号（検知信号）がレジスタ回路３０Ａに入力されることで、レジスタ回路３０Ａは保持していたデータをクリアして初期化する。ＦＥＴスイッチＡ３６のゲートにはローレベルの電圧が印加され、ＦＥＴスイッチＡ３６がオンする。
【００４６】
また、アンドゲート３２Ａには、リセットＩＣ３２Ｂからのリセット信号が入力される。リセットＩＣは、電源投入時には、所定の期間ローレベルのＰｏｗｅｒＯＮリセット信号を出力する。リセット信号はレジスタ回路３０Ａにクリア信号（検知信号）として入力され、レジスタ回路３０Ａは保持していたデータをクリアしてリセットする。これにより、電源投入時には、ＦＥＴスイッチＡ３６はオンされ、電源供給線Ｖｃｃ−１が電源供給線Ｖｃｃ−０と同等の電圧レベルとなり、主制御部２２に電源供給線Ｖｃｃ−１による電源供給が行われる。
【００４７】
省電力モードへ移行する時にＣＰＵ１２は、レジスタ回路３０Ａに“１”のデータを書き込む。これにより、ＦＥＴスイッチＡ３６のゲートがハイレベルとなり、ＦＥＴスイッチＡ３６はオフする。ＦＥＴスイッチＡ３６のドレイン／ソース間は遮断され、主制御部２２に電源を供給する第１の電源供給線（Ｖｃｃ−１）が０Ｖになる。
【００４８】
動作の復帰は、コントロールパネル４８上の節電キー５４を押下することで行われる。節電キー５４が押下されると、節電キー５４とアンドゲート３２Ａとをつなぐ配線がローベルになる。このため、レジスタ回路３０Ａにクリア信号（検知信号）が出力され、レジスタ回路３０Ａの出力がローレベルになる。これによりＦＥＴスイッチＡ３６がオンして、電源供給線Ｖｃｃ−１は電源供給線Ｖｃｃ−０と同等の電圧レベルに設定される。従って、主制御部２２に電源５０からの電源供給が再開される。
【００４９】
次に、上述の電源制御部３０、及びＦＥＴスイッチＢ３８の詳細な構成について説明する。図３は、電源制御部３０及びＦＥＴスイッチＢ３８の詳細な構成を示す図である。なお、図３では、ＦＥＴスイッチＢ３８に関係する部分のみを示す。また、ＦＥＴスイッチＢ３２を制御する電源制御部３０は、図２と同一のものを適用するようにしてもよい。
【００５０】
ＦＥＴスイッチＢ３８は、図３に示すように、Ｐチャンネル型ＭＯＳＦＥＴで構成し、ゲートに電源制御部３０の出力を入力する。また、ドレインを電源供給線Ｖｃｃ−０（第３の電源供給線）に、ソースを印刷処理部２８に電源を供給する電源供給線Ｖｃｃ−２（第２の電源供給線）に接続している。本実施の形態では、ＦＥＴスイッチＢ３８としてＰチャンネル型ＭＯＳＦＥＴを用いた例を説明するが、Ｎチャンネル型ＭＯＳＦＥＴを適用するようにしてもよい。当然のことながらゲート制御の論理変更は必要となる。
【００５１】
電源制御部３０は、上述したレジスタ回路３０Ａの他に、図３に示すレジスタ回路３０Ｂを更に備えており、アドレス信号、チップセレクト、ライトイネーブル信号等の制御信号と書き込みデータをＣＰＵ１２から入力する。レジスタ回路３０Ｂは、ＣＰＵ１２から出力された制御信号に従って書き込みデータを書き込む、より具体的には、ＣＰＵ１２からバスブリッジ回路１８を経由し、Ｉ／Ｏバス４２からレジスタ回路３０Ｂに書き込む。書き込まれたデータはＦＥＴスイッチＢ３８のゲートに出力される。さらに、書き込んだデータをクリアして初期化する。すなわち、上記レジスタ回路３０Ａと同様に、レジスタ回路３０Ｂに“１”のデータが書き込まれると、ＦＥＴスイッチＢ３８のゲートにハイレベルの電圧を印加して、ＦＥＴスイッチＢ３８を閉じる。また、クリア信号を入力すると、ＦＥＴスイッチＢ３８のゲートにローレベルの電圧を印加して、ＦＥＴスイッチＢ３８をオンさせる。
【００５２】
また、レジスタ回路３０Ｂには、リセットＩＣ３２Ｂからのリセット信号が入力される。リセットＩＣ３２Ｂは、電源投入時には、所定の期間ローレベルのＰｏｗｅｒＯＮリセット信号を出力する。リセット信号は、レジスタ回路３０Ｂにクリア信号（検知信号）として入力され、レジスタ回路３０Ｂは保持していたデータをクリアしてリセットする。これにより、電源投入時には、ＦＥＴスイッチＢ３８はオンされ、電源供給線Ｖｃｃ−２が電源供給線Ｖｃｃ−０と同等の電圧レベルとなり、印刷処理部２８に電源供給線Ｖｃｃ−２による電源供給が行われる。
【００５３】
また、省電力モードへ移行する時にＣＰＵ１２は、レジスタ回路３０Ｂに“１”のデータを書き込む。これにより、ＦＥＴスイッチＢ３８のゲートがハイレベルとなり、ＦＥＴスイッチＢ３８はオフする。ＦＥＴスイッチＢ３８のドレイン／ソース間は遮断され、印刷処理部２８に電源を供給する第２の電源供給線（Ｖｃｃ−２）が０Ｖになる。
【００５４】
動作の復帰は、ＣＰＵ１２が、レジスタ回路３０Ｂに“０”のデータを書き込む。これにより、ＦＥＴスイッチＢ３８のゲートがローレベルとなり、ＦＥＴスイッチＢ３８がオンして、電源供給線Ｖｃｃ−２は電源供給線Ｖｃｃ−０と同等の電圧レベルに設定される。従って、印刷処理部２８に電源の供給が再開される。
【００５５】
次に、コントローラ全体の動作を説明する。コントローラ１０は、通常動作モードと省電力モードの２つの動作モードを備えている。また、本実施の形態に係わるコントローラ１０は、コピー単体機に搭載された場合と、複合機に搭載された場合で、異なる省電力モードが行われる。
【００５６】
通常動作モードでは、コントローラ全体に電源が供給される。コントローラ１０は、所定時間印刷動作等が行われなかった場合や、節電キー５４が押下されると、省電力モードに移行する。
【００５７】
ここで、コントローラ１０で行われる省電力モード時の処理の流れについて説明する。図４は、本発明の実施の形態に係わるコントローラ１０で行われる省電力モード時の処理の流れの一例を示すフローチャートである。
【００５８】
まず、始めにステップ１００では、コピー単体機にコントローラ１０が搭載されているか否か判定される。該判定は、例えば、プログラムＲＯＭ１６に予め記憶されているプログラムがコピー単体機用であるか複合機用であるかを判定したり、コントローラ１０に予め設定された内容等をＣＰＵ１２が確認することによってなされ、該判定が否定された場合すなわち複合機にコントローラ１０が搭載されている場合には、ステップ１０２へ移行して、コントロールパネル４８上の節電ＬＥＤ５６がＬＥＤ点灯回路３４によって点灯され、ステップ１０４へ移行する。
【００５９】
ステップ１０４では、ＣＰＵ１２がレジスタ回路３０Ｂに“１”のデータを書き込む。これによって、ＦＥＴスイッチＢ３８のゲートにハイレベルの電圧が印加されて、ＦＥＴスイッチＢ３６が閉じられる。これによって、電源供給線Ｖｃｃ−２（第２の電源供給線）への電源供給が停止される。すなわち、図５に示すように、印刷処理部２８への電源供給が停止される。なお、図５では、ハッチングの部分が電源供給が停止されている部分を表す。
【００６０】
また、ステップ１０６では、ＣＰＵ１２やバスブリッジ回路１８内のクロック停止等の所定のパワーセーブモードへ移行する。例えば、所定のパワーセーブモードは、ＣＰＵ１２やバスブリッジ回路１８が、自身内の一部のクロックを停止する。
【００６１】
次に、ステップ１０８では、省電力モードが解除されたか否か判定される。該判定は、例えば、コントロールパネル４８上の節電キー５４が押されたか否かを節電キー押下検知回路３２が判定することによってなされる。該判定が否定された場合には判定が肯定されるまで待機してステップ１１０へ移行する。
【００６２】
ステップ１１０では、ＣＰＵ１２やバスブリッジ回路１８内の自身内の所定のパワーセーブもオードを解除する。次に、ステップ１１２へ移行して、ＣＰＵ１２がレジスタ回路３０Ｂに“０”のデータを書き込む。これによって、ＦＥＴスイッチＢ３８のゲートがローレベルとなり、ＦＥＴスイッチＢ３８がオンして、電源供給線Ｖｃｃ−２が電源供給線Ｖｃｃ−０と同等の電圧レベルに設定される。従って、印刷処理部２８に電源の供給が再開される。
【００６３】
また、ステップ１１４では、コントロールパネル４８上の節電ＬＥＤ５６を消灯して省電力モードの処理を終了する。
【００６４】
一方、ステップ１００の判定が肯定すなわちコピー単体機にコントローラ１０が搭載されている場合には、ステップ１１６へ移行して、コントロールパネル４８上の節電ＬＥＤ５６がＬＥＤ点灯回路３４によって点灯され、ステップ１１８へ移行する。
【００６５】
ステップ１１８では、ＣＰＵ１２が２つのレジスタ回路３０Ａ、３０Ｂに“１”のデータを書き込む。これによって、ＦＥＴスイッチＡ３６及びＦＥＴスイッチＢ３８のゲートにハイレベルの電圧が印加されて、ＦＥＴスイッチＡ３６及びＦＥＴスイッチＢ３８が閉じられる。これによって、電源供給線Ｖｃｃ−２（第２の電源供給線）及び電源供給線Ｖｃｃ１（第１の電源供給線）への電源供給が停止される。すなわち、図６に示すように、主制御部２２及び印刷処理部２８への電源供給が停止される。なお、図６では、ハッチングの部分が電源供給が停止されている部分を表す。
【００６６】
次に、ステップ１２０では、省電力モードが解除されたか否か判定される。該判定は、例えば、コントロールパネル４８上の節電キー５４が押されたか否かを節電キー押下検知回路３２が判定することによってなされる。詳細には、節電キー５４が押下されるとレジスタ回路３０Ａがクリアされることによって判定が肯定される。該判定が否定された場合には判定が肯定されるまで待機してステップ１２２へ移行する。
【００６７】
ステップ１２２では、レジスタ回路３０Ａが節電キー５４の押下によってクリアされて、レジスタ回路３０Ａの出力がローレベルになり、ＦＥＴスイッチＡ３６がオンして、電源供給線Ｖｃｃ−１がＶｃｃ−０と同等の電圧レベルに設定される。従って、主制御部２２に電源の供給が再開される。
【００６８】
続いて、ステップ１２４では、主制御部２２に電源が供給されてＣＰＵ１２が起動したところで、ＣＰＵ１２によってもう一方のレジスタ回路３０Ｂに“０”のデータが書き込まれる。これにより、ＦＥＴスイッチＢ３８のゲートがローレベルとなり、ＦＥＴスイッチＢ３８がオンして、電源供給線Ｖｃｃ−２は電源供給線Ｖｃｃ−０と同等の電圧レベルに設定される。従って、印刷処理部２８に電源の供給が再開される。
【００６９】
そして最後に、ステップ１２６にて、コントロールパネル４８上の節電ＬＥＤ５６が消灯されて、省電力モードの処理を終了する。
【００７０】
このように、本実施の形態に係わるコントローラ１０は、複合機に搭載された場合には、省電力モードへ移行したときに、ホストマシン等からの外部の装置からの要求に対応できるように、主制御部２２への電源供給は維持して印刷処理部２８への電源供給を停止する。また、コピー単体機に搭載された場合には、省電力モードへ移行したときには、主制御部２２についても電源供給を停止しても問題ないので、主制御部２２及び印刷処理部２８への電源供給を停止する。従って、コピー単体機と複合機のそれぞれに応じて最適な省電力制御を行うことができると共に、コピー単体機及び複合機へ共通でコントローラ１０を搭載することができる。
【００７１】
なお、上記の実施の形態では、コントローラ１０がコピー単体機に搭載された場合に、省電力モードへ移行すると、主制御部２２の全体への電源供給を停止するようにしたが、システムＲＡＭへの電源はオンにしたままにしておくようにしてもよい。
【００７２】
図７は、コピー単体機にコントローラ１０が搭載された場合の省電力モード時の電源状態の変形例を示す図である。
【００７３】
最近のコントローラでは、画像処理の高速化のためプログラムをＲＯＭより高速なＲＡＭに展開して実行している。省電力モード時に、ＲＡＭの電源供給を停止せずに、ＤＲＡＭをセルフリフレッシュモードに入れるようにする。ＤＲＡＭをセルフリフレッシュに入れるためには、クロックイネーブル（ＣＫＥ）信号をローレベルに保つ必要がある。例えば、ＣＫＥ信号にプルダウン抵抗を付けておき、バスブリッジ回路１８にてＣＫＥ信号をローレベルにドライブした後に、省電力モードに移行させて、ＦＥＴスイッチＡ３６及びＦＥＴスイッチＢ３８を制御するようにすることで、バスブリッジ回路１８の電源オフ前及びオフ後において、ＣＫＥ信号をローレベルとすることができ、セルフリフレッシュに入れることができる。
【００７４】
また、上記の実施の形態のように、コピー単体機の省電力モードでは、ＣＰＵ１２の電源をオフするので、通常動作モードへの復帰時においても、電源オンとの区別ができない。そこで、ＣＰＵ１２に対して、省電力モードからの復帰であるか、通常の電源オンであるかを通知する信号を備える。例えば、電源制御部３０にレジスタ回路を更に備えて、ＣＰＵ１２が、省電力モードへ移行する前に、該レジスタ回路にアクセスし、省電力モードからの復帰を示すビットを設定する。なお、該レジスタ回路のクリア端子に図３同様のリセット信号を接続する。例えば、ＣＰＵ１２は省電力モードに移行する前に、該レジスタ回路に“１”をライトするものとする。これによってＣＰＵ１２は、ＰｏｗｅｒＯＮリセットが解除された後、該レジスタ回路をリードして、その値が“１”であれば、省電力モードからの復帰であると検知することができる。一方、電源オン時は、リセット信号によって該レジスタ回路はクリアされ、ＣＰＵ１２が該レジスタ回路をリードしたときの値は“０”となる。あるいは、レジスタ回路の出力信号レベルを確認するようにしてもよい。
【００７５】
ＳＤＲＡＭ等のＤＲＡＭは、電源投入時に所定の初期化が必要である。具体的にはＣＫＥ信号をハイレベルとした後に、バンクのプリチャージやモードレジスタ設定やリフレッシュコマンドの発行などがある。ＣＰＵ１２が、上記レジスタ回路の値によって、省電力モードからの復帰であると検知した場合には、プログラムがＤＲＡＭ上に展開済みであり、セルフリフレッシュでデータを保持しているので、ＤＲＡＭの初期化を行わずに、ＣＫＥ信号をハイレベルにして、セルフリフレッシュを解除して、通常動作モードに復帰する。このようにすることで、ＲＯＭからＤＲＡＭへのプログラム展開することなく、ＤＲＡＭ内のプログラムを実行することができ、通常動作モードに復帰するまでの時間を短縮することができる。
【００７６】
一方、ＣＰＵ１２が上記レジスタ回路の値によって、通常の電源オンであると検知した場合には、ＤＲＡＭの初期化後、ＲＯＭからＤＲＡＭへのプログラム展開を行い、その後ＤＲＡＭ内のプログラムを実行するようにする。
【００７７】
なお、本発明の実施の形態に係わるコントローラ１０は、コピー単体機および複合機に共通に搭載され、ソフトウエアの変更もしくは画像形成装置の製造元から発行されるソフトウエアキーコードの設定等により、コピー単体機を複合機にアップグレードすることも可能である。
【００７８】
また、上記の実施の形態は、本発明の好適な実施例である。但し、これに限定されるものではなく、本発明の要旨を逸脱しない範囲内において種々変形実施可能である。例えば、上記の実施の形態の復帰制御部５２をＣＰＬＤ（Complex Programmable Logic Device）等のプログラマブルデバイスの一部として構成することも可能である。
【図面の簡単な説明】
【００７９】
【図１】本発明の実施の形態に係わるコピー単体機や複合機等の画像処理装置に共通に搭載することができるコントローラの構成を示すブロック図である。
【図２】節電押下検知回路、電源制御部、及びＦＥＴスイッチ１の詳細な構成を示す図である。
【図３】電源制御部及びＦＥＴスイッチ２の詳細な構成を示す図である。
【図４】本発明の実施の形態に係わるコントローラで行われる省電力モード時の処理の流れの一例を示すフローチャートである。
【図５】複合機にコントローラが搭載されたときの省電力モード時の電源供給状態を示す図である。
【図６】コピー単体機にコントローラが搭載されたときの省電力モード時の電源供給状態を示す図である。
【図７】コピー単体機にコントローラが搭載された場合の省電力モード時の電源状態の変形例を示す図である。
【符号の説明】
【００８０】
１０    コントローラ
１４    システムＲＡＭ
２２    主制御部
２８    印刷処理部
３０    電源制御部
３０Ａ、３０Ｂ    レジスタ回路
３２    節電キー押下検知回路
３２Ａ    アンドゲート
３２Ｂ    リセットＩＣ
３６    ＦＥＴスイッチＡ
３８    ＦＥＴスイッチＢ
５０    電源
５２    復帰制御部
５４    節電キー
【図１】
2006110823.tif 000003
【図２】
2006110823.tif 000004
【図３】
2006110823.tif 000005
【図４】
2006110823.tif 000006
【図５】
2006110823.tif 000007
【図６】
2006110823.tif 000008
【図７】
2006110823.tif 000009